【手続補正書】
【提出日】平成15年11月19日(2003.11.19)
【手続補正１】
【補正対象書類名】明細書
【補正対象項目名】特許請求の範囲
【補正方法】変更
【補正の内容】
【特許請求の範囲】
【請求項１】
天然又は合成ポリアミド繊維材料を２色若しくは３色染色又は捺染するための方法であって、
式（１）：
【化１】
1997176510.tif 000001
（式中、
Ｒ1及びＲ2は、互いに独立して、水素又は置換若しくは非置換Ｃ1−Ｃ12アルキルであり、
Ｘ1は、ハロゲンであり、
Ｂ1は、有機架橋員であり、そして
Ｖ1は、式（２ａ）、（２ｂ）、（２ｃ）、（２ｄ）、（２ｅ）又は（２ｆ）：
【化２】
1997176510.tif 000002
（上記式中、
Ｗは、式：−ＳＯ2−ＮＲ3−、−ＣＯＮＲ3−又は−ＮＲ3ＣＯ−の基であり、
Ｒ3は、水素、Ｃ1−Ｃ4アルキル（これは、非置換であるか、又はヒドキシル、スルホ、スルファト、カルボキシル若しくはシアノで置換されている）、又は基：−ａｌｋｙｌｅｎｅ（Ｒ）−ＳＯ2−Ｚであり、
Ｒは、水素、ヒドロキシル、スルホ、スルファト、カルボキシル、シアノ、ハロゲン、Ｃ1−Ｃ4アルコキシカルボニル、Ｃ1−Ｃ4アルカノイルオキシ、カルバモイル又は基：−ＳＯ2−Ｚであり、
Ｚは、基：−ＣＨ＝ＣＨ2又は−ＣＨ2ＣＨ2−Ｙであり、Ｙは、脱離基であり、
Ｘは、基：−ＣＨ（Ｈａｌ）−ＣＨ2−Ｈａｌ又は−Ｃ（Ｈａｌ）＝ＣＨ2であり、Ｈａｌは、ハロゲンであり、
Ｅは、基：−Ｏ−又は−ＮＲ5−であり、Ｒ5は、水素又はＣ1−Ｃ4アルキルであり、
ａｌｋｙｌｅｎｅ及びａｌｋｙｌｅｎｅ′は、互いに独立して、Ｃ1−Ｃ6アルキレンであり、
ａｒｙｌｅｎｅは、フェニレン又はナフチレン基（これらは、非置換であるか、又はスルホ、カルボキシル、Ｃ1−Ｃ4アルキル、Ｃ1−Ｃ4アルコキシ若しくはハロゲンで置換されている）であり、
Ｒ4及びＲ4′は、互いに独立して、水素又はＣ1−Ｃ4アルキル（これは、非置換であるか、又はカルボキシル、シアノ、ヒドロキシル、スルホ若しくはスルファトで置換されている）であり、そして
ｔは、０又は１の数である）
で示される基である）
で示される青色−染色の繊維反応性アントラキノン染料の少なくとも１種を、繊維反応性スルホ基含有黄色−若しくは橙色−染色染料の少なくとも１種と一緒にか、又は繊維反応性スルホ基含有赤色−染色染料の少なくとも１種と一緒に用いることを含む方法。
【請求項２】
式（１）の青色−染色の繊維反応性アントラキノン染料の少なくとも１種が、繊維反応性スルホ基含有黄色−若しくは橙色−染色染料の少なくとも１種及び繊維反応性スルホ基含有赤色−染色染料の少なくとも１種と一緒に用いられる、天然又は合成ポリアミド繊維材料を３色染色又は捺染するための請求項１記載の方法。
【請求項３】
Ｒ1及びＲ2が、互いに独立して、水素又はＣ1−Ｃ4アルキル（これは、非置換であるか、又はヒドロキシル、スルホ若しくはスルファトにより置換されている）である、請求項１又は２記載の方法。
【請求項４】
Ｂ1が、Ｃ2−Ｃ12アルキレン基（これは、−ＮＨ−、−Ｎ（ＣＨ3)−又は−Ｏ−よりなる群からの１、２又は３個の員により中断されていてもよく、かつ非置換であるか、又はヒドロキシル、スルホ、スルファト、シアノ若しくはカルボキシルで置換されている）、又はＣ5−Ｃ9シクロアルキレン基、Ｃ1−Ｃ4アルキレン−Ｃ5−Ｃ9シクロアルキレン基若しくはＣ1−Ｃ4アルキレン−Ｃ5−Ｃ9シクロアルキレン−Ｃ1−Ｃ4アルキレン基（これらは、非置換であるか、又はＣ1−Ｃ4アルキル、Ｃ1−Ｃ4アルコキシ、スルホ、ハロゲン若しくはカルボキシルで置換されている）、又はフェニレン基、Ｃ1−Ｃ4アルキレン−フェニレン基若しくはＣ1−Ｃ4アルキレン−フェニレン−Ｃ1−Ｃ4アルキレン基（これらは、非置換であるか、又はＣ1−Ｃ4アルキル、Ｃ1−Ｃ4アルコキシ、Ｃ2−Ｃ4アルカノイルアミノ、スルホ、ハロゲン若しくはカルボキシルで置換されている）である、請求項１〜３のいずれか１項記載の方法。
【請求項５】
Ｂ1が、Ｃ2−Ｃ6アルキレン基（これは、１、２又は３個の−Ｏ−により中断されていてもよく、かつ非置換であるか、又はヒドロキシル若しくはスルファトで置換されている）、又はシクロヘキシレン基又はメチレン−シクロヘキシレン基（これらは、非置換であるか、又はＣ1−Ｃ4アルキルで置換されている）、又はフェニレン若しくはメチレン−フェニレン−メチレン基（これらは、非置換であるか、又はＣ1−Ｃ4アルキル、Ｃ1−Ｃ4アルコキシ、ハロゲン若しくはスルホで置換されている）である、請求項１〜４のいずれか１項記載の方法。
【請求項６】
Ｗが、式：−ＣＯＮＨ−の基であり、Ｒ、Ｒ3、Ｒ4及びＲ4が、水素であり、Ｙが、−Ｃｌ、−ＯＳＯ3又は−ＯＣＯ−ＣＨ3であり、Ｈａｌが、クロロ又はブロモであり、Ｅが、基：−Ｏ−であり、ａｒｙｌｅｎｅが、フェニレン基（これは、非置換であるか、又はスルホ、カルボキシル、Ｃ1−Ｃ4アルキル、Ｃ1−Ｃ4アルコキシ若しくはハロゲンで置換されている）であり、そしてｔが、０の数である、請求項１記載の方法。
【請求項７】
Ｖ1が、式（２ｂ）又は（２ｄ）の基である、請求項１記載の方法。
【請求項８】
Ｘ1が、フルオロ又はクロロ、特にクロロである、請求項１〜７のいずれか１項記載の方法。
【請求項９】
用いられる式（１）の青色−染色の繊維反応性アントラキノン染料が、式（４）又は（５）：
【化３】
1997176510.tif 000003
（上記式中、
Ｘ1は、フルオロ又はクロロであり、
Ｘは、基：−ＣＨ（Ｈａｌ）−ＣＨ2−Ｈａｌ又は−Ｃ（Ｈａｌ）＝ＣＨ2であり、Ｈａｌは、ブロモ又はクロロであり、そして
Ｚは、基：−ＣＨ＝ＣＨ2又は−ＣＨ2ＣＨ2−Ｙであり、Ｙは、−Ｃｌ、−ＯＳＯ3Ｈ又は−ＯＣＯ−ＣＨ3である）
で示されるアントラキノン染料である、請求項１〜８のいずれか１項記載の方法。
【請求項１０】
用いられる繊維反応性スルホ基含有黄色−若しくは橙色−染色染料が、式（８）：
【化４】
1997176510.tif 000004
（式中、
Ｒ6は、水素、Ｃ1−Ｃ4アルキル、Ｃ1−Ｃ4アルコキシ、Ｃ2−Ｃ4アルカノイルアミノ、アミノ、Ｎ−モノ−若しくはＮ，Ｎ−ジ−Ｃ1−Ｃ4アルキルアミノ、ウレイド、ハロゲン、ヒドロキシル又はカルボキシルであり、
Ｒ7及びＲ8は、互いに独立して、水素、Ｃ1−Ｃ4アルキル、Ｃ1−Ｃ4アルコキシ、Ｃ2−Ｃ4アルカノイルアミノ、ウレイド、スルファモイル、ハロゲン、スルホ又はカルボキシルであり、そして
（Ｔ1)1-3は、１〜３個の同一又は異なる繊維反応性基である）で示される染料、及び式（９）：
【化５】
1997176510.tif 000005
（式中、
Ｒ9は、ヒドロキシル又はアミノであり、
Ｒ10は、メチル又はカルボキシルであり、
Ｒ11、Ｒ12、Ｒ13、Ｒ13′及びＲ14は、上記のＲ7及びＲ8と同義であり、
Ｒ13′は、更にβ−ヒドロキシエチルスルホニル又は式：−ＳＯ2Ｚの基（ここで、Ｚは、基：−ＣＨ＝ＣＨ2又は−ＣＨ2−ＣＨ2−Ｙであり、Ｙは、脱離基である）であることができ、そして
（Ｔ1)1-3は、１〜３個の同一又は異なる繊維反応性基である）
で示され、かつ少なくとも１個のスルホ基を含む染料、
及び式（１０）：
【化６】
1997176510.tif 000006
（式中、
Ｒ15、Ｒ16、Ｒ17及びＲ18は、上記のＲ7及びＲ8と同義であり、そして
（Ｔ1)1-3は、１〜３個の同一又は異なる繊維反応性基である）で示される染料、
及び式（１１）：
【化７】
1997176510.tif 000007
（式中、
Ｒ19は、スルホメチル、カルバモイル又はシアノであり、
Ｒ20は、Ｃ1−Ｃ4アルキルであり、
Ｒ21は、上記のＲ7及びＲ8と同義であり、そして
（Ｔ1)1-3は、１〜３個の同一又は異なる繊維反応性基である）
で示される染料の少なくとも１種であり、
そして用いられる繊維反応性スルホ基含有赤色−染色染料が、式（１２）：
【化８】
1997176510.tif 000008
（式中、
Ｒ22は、水素、アミノ又はＮ−モノ−若しくはＮ，Ｎ−ジ−Ｃ1−Ｃ4アルキルアミノであり、
Ｒ23は、水素又はヒドロキシルであり、
Ｒ24及びＲ25は、互いに独立して、上記のＲ7及びＲ8と同義であるか、又はフェニルスルホニル（これは、非置換であるか、又はＣ1−Ｃ4アルキル、Ｃ1−Ｃ4アルコキシ、Ｃ2−Ｃ4アルカノイルアミノ、ウレイド、ハロゲン、カルボキシル若しくはスルホにより置換されている）であり、そして
（Ｔ1)1-3は、１〜３個の同一又は異なる繊維反応性基である）
で示される染料、及び式（１３）：
【化９】
1997176510.tif 000009
（式中、
Ｒ26は、水素、Ｃ1−Ｃ4アルキル、Ｃ1−Ｃ4アルコキシ、Ｃ2−Ｃ4アルカノイルアミノ、アミノ、Ｎ−モノ−若しくはＮ，Ｎ−ジ−Ｃ1−Ｃ4アルキルアミノ、ウレイド、ハロゲン、カルボキシル又はフェニルカルボニルアミノ（これは、非置換であるか、又はフェニル環が、Ｃ1−Ｃ4アルキル、Ｃ1−Ｃ4アルコキシ、Ｃ2−Ｃ4アルカノイルアミノ、ウレイド、ハロゲン、カルボキシル若しくはスルホにより置換されている）であり、
Ｒ27及びＲ28は、上記のＲ7及びＲ8と同義であり、そして
（Ｔ1)1-3は、１〜３個の同一又は異なる繊維反応性基である）
で示される染料の少なくとも１種である、請求項１〜９のいずれか１項記載の方法。
【請求項１１】
Ｔ1が、式（６ａ）、（６ｂ）又は（７ａ）：
【化１０】
1997176510.tif 000010
（上記式中、
Ｚは、基：−ＣＨ＝ＣＨ2又は−ＣＨ2−ＣＨ2−Ｙであり、Ｙは、脱離基であり、
Ｘは、基：−ＣＨ（Ｈａｌ）−ＣＨ2−Ｈａｌ又は−Ｃ（Ｈａｌ）＝ＣＨ2であり、Ｈａｌは、ハロゲンであり、
Ｘ2は、フルオロ、又は特にクロロであり、
Ｒ4は、水素又はＣ1−Ｃ4アルキル（これは、非置換であるか、又はカルボキシル、シアノ、ヒドロキシル、スルホ若しくはスルファトで置換されている）
であり、そして
Ｖ2は、式（２ａ）、（２ｂ）、（２ｃ）、（２ｄ）、（２ｅ）又は（２ｆ）：
【化１１】
1997176510.tif 000011
（上記式中、
Ｗは、式：−ＳＯ2−ＮＲ3−、−ＣＯＮＲ3−又は−ＮＲ3ＣＯ−の基であり、
Ｒ3は、水素、Ｃ1−Ｃ4アルキル（これは、非置換であるか、又はヒドロキシル、スルホ、スルファト、カルボキシル若しくはシアノで置換されている）、又は基：−ａｌｋｙｌｅｎｅ（Ｒ）−ＳＯ2−Ｚであり、
Ｒは、水素、ヒドロキシル、スルホ、スルファト、カルボキシル、シアノ、ハロゲン、Ｃ1−Ｃ4アルコキシカルボニル、Ｃ1−Ｃ4アルカノイルオキシ、カルバモイル又は基：−ＳＯ2−Ｚであり、
Ｅは、基：−Ｏ−又は−ＮＲ5−であり、Ｒ5は、水素又はＣ1−Ｃ4アルキルであり、
ａｌｋｙｌｅｎｅ及びａｌｋｙｌｅｎｅ′は、互いに独立して、Ｃ1−Ｃ6アルキレンであり、
ａｒｙｌｅｎｅは、フェニレン又はナフチレン基（これらは、非置換であるか、又はスルホ、カルボキシル、Ｃ1−Ｃ4アルキル、Ｃ1−Ｃ4アルコキシ若しくはハロゲンで置換されている）であり、
Ｒ4′は、上記のＲ4と同義であり、
Ｚ及びＸは、上記と同義であり、そして
ｔは、０又は１の数である）
で示される基である）
で示される基である、請求項１０記載の方法。
【請求項１２】
用いられる繊維反応性スルホ基含有黄色−若しくは橙色−染色染料が、式（１４）：
【化１２】
1997176510.tif 000012
（式中、
Ｒ7は、水素、Ｃ1−Ｃ4アルキル、Ｃ1−Ｃ4アルコキシ、Ｃ2−Ｃ4アルカノイルアミノ、ウレイド、スルファモイル、ハロゲン、スルホ又はカルボキシルであり、そして
Ｒ4、Ｘ2及びＶ2は、請求項１１と同義である）
で示される染料、及び式（１６）：
【化１３】
1997176510.tif 000013
（式中、
Ｒ9は、ヒドロキシル又はアミノであり、
Ｒ10は、メチル又はカルボキシルであり、
Ｒ12、Ｒ13、Ｒ13′及びＲ14は、上記のＲ7と同義であり、そして
Ｒ4、Ｘ2及びＶ2は、請求項１１と同義である）
で示される染料の少なくとも１種であり、
そして用いられる繊維反応性スルホ基含有赤色−染色染料が、式（１９）：
【化１４】
1997176510.tif 000014
（式中、
Ｒ22は、アミノ又はＮ−モノ−若しくはＮ，Ｎ−ジ−Ｃ1−Ｃ4アルキルアミノであり、
Ｒ24は、上記のＲ7と同義であり、そして
Ｒ4、Ｘ2及びＶ2は、請求項１１と同義である）
で示される染料の少なくとも１種である、請求項１１記載の方法。
【請求項１３】
Ｒ4が、水素又はＣ1−Ｃ4アルキルであり、そしてＶ2が、式（３ａ）、（３ｂ）、（３ｃ）、（３ｄ）又は（３ｅ）：
【化１５】
1997176510.tif 000015
（上記式中、
Ｘは、基：−ＣＨ（Ｈａｌ）−ＣＨ2−Ｈａｌ又は−Ｃ（Ｈａｌ）＝ＣＨ2であり、Ｈａｌは、ブロモ又はクロロであり、そして
Ｚは、基：−ＣＨ＝ＣＨ2又は−ＣＨ2−ＣＨ2−Ｙであり、Ｙは、−Ｃｌ、−ＯＳＯ3Ｈ又は−ＯＣＯ−ＣＨ3である）
で示される基である、請求項１１記載の方法。
【請求項１４】
式（２４）：
【化１６】
1997176510.tif 000016
（式中、
Ｘ1は、フルオロ又はクロロであり、そして
Ｘは、基：−ＣＨ（Ｈａｌ）−ＣＨ2−Ｈａｌ又は−Ｃ（Ｈａｌ）＝ＣＨ2であり、Ｈａｌは、ブロモ又はクロロである）
で示され、かつ全体で２個のスルホ基を有する染料、
及び式（２５）：
【化１７】
1997176510.tif 000017
（式中、
Ｘ1は、フルオロ又はクロロであり、そして
Ｚは、基：−ＣＨ＝ＣＨ2又は−ＣＨ2−ＣＨ2−Ｙであり、Ｙは、−Ｃｌ、−ＯＳＯ3Ｈ又は−ＯＣＯ−ＣＨ3である）
で示される染料、
及び式（２６）：
【化１８】
1997176510.tif 000018
（式中、
Ｘ1は、フルオロ又はクロロであり、そして
Ｚは、基：−ＣＨ＝ＣＨ2又は−ＣＨ2−ＣＨ2−Ｙであり、Ｙは、−Ｃｌ、−ＯＳＯ3Ｈ又は−ＯＣＯ−ＣＨ3である）
で示される染料
である繊維反応性アントラキノン染料。
【手続補正２】
【補正対象書類名】明細書
【補正対象項目名】０００６
【補正方法】変更
【補正の内容】
【０００６】
（式中、
Ｒ1及びＲ2は、互いに独立して、水素又は置換若しくは非置換Ｃ1−Ｃ12アルキルであり、
Ｘ1は、ハロゲンであり、
Ｂ1は、有機架橋員であり、そして
Ｖ1は、繊維反応性基含有の、脂肪族又は芳香族アミンである）で示される青色−染色の繊維反応性アントラキノン染料の少なくとも１種を、繊維反応性スルホ基含有黄色−若しくは橙色−染色染料の少なくとも１種と一緒にか、又は繊維反応性スルホ基含有赤色−染色染料の少なくとも１種と一緒に用いる方法に関する。


【手続補正３】
【補正対象書類名】明細書
【補正対象項目名】０００９
【補正方法】変更
【補正の内容】
【０００９】
好適には、Ｒ1及びＲ2は、互いに独立して、水素又はＣ1−Ｃ4アルキル（これは、非置換であるか、又はヒドロキシル、スルホ若しくはスルファトにより置換されている）であり、特に水素又はＣ1−Ｃ4アルキル、好適には水素である。


【手続補正４】
【補正対象書類名】明細書
【補正対象項目名】００１１
【補正方法】変更
【補正の内容】
【００１１】
有機架橋員Ｂ1は、例えばＣ2−Ｃ12アルキレン基（これは、−ＮＨ−、−Ｎ（ＣＨ3)−又は−Ｏ−よりなる群からの１、２又は３個の員により中断されていてもよく、かつ非置換であるか、又はヒドロキシル、スルホ、スルファト、シアノ若しくはカルボキシルで置換されている）、又はＣ5−Ｃ9シクロアルキレン基、Ｃ1−Ｃ4アルキレン−Ｃ5−Ｃ9シクロアルキレン基若しくはＣ1−Ｃ4アルキレン−Ｃ5−Ｃ9シクロアルキレン−Ｃ1−Ｃ4アルキレン基（これらは、非置換であるか、又はＣ1−Ｃ4アルキル、Ｃ1−Ｃ4アルコキシ、スルホ、ハロゲン若しくはカルボキシルで置換されている）、又はフェニレン基、Ｃ1−Ｃ4アルキレン−フェニレン基若しくはＣ1−Ｃ4アルキレン−フェニレン−Ｃ1−Ｃ4アルキレン基（これらは、非置換であるか、又はＣ1−Ｃ4アルキル、Ｃ1−Ｃ4アルコキシ、Ｃ2−Ｃ4アルカノイルアミノ、スルホ、ハロゲン若しくはカルボキシルで置換されている）である。更に、式：−Ｎ（Ｒ1)−Ｂ1−Ｎ（Ｒ2)−の基は、下記式：


【手続補正５】
【補正対象書類名】明細書
【補正対象項目名】００１４
【補正方法】変更
【補正の内容】
【００１４】
アルキレン基：Ｂ1は、好適にはＣ2−Ｃ6アルキレン基（これは、１、２又は３個の員：−Ｏ−により中断されていてもよく、かつ非置換であるか、又はヒドロキシル若しくはスルファトで置換されている）である。非置換の基、特に下記式：


【手続補正６】
【補正対象書類名】明細書
【補正対象項目名】００１５
【補正方法】変更
【補正の内容】
【００１５】
【化２１】
1997176510.tif 000019
【手続補正７】
【補正対象書類名】明細書
【補正対象項目名】００２１
【補正方法】変更
【補正の内容】
【００２１】
Ｂ1は、好適にはＣ2−Ｃ6アルキレン基（これは、１、２又は３個の員：−Ｏ−により中断されていてもよく、かつ非置換であるか、又はヒドロキシル若しくはスルファトで置換されている）、又はシクロヘキセン基若しくはメチレン−シクロヘキシレン基（これは、非置換であるか、又はＣ1−Ｃ4アルキルで置換されている）、又はフェニレン若しくはメチレン−フェニレン−メチレン基（これは、非置換であるか、又はＣ1−Ｃ4アルキル、Ｃ1−Ｃ4アルコキシ、ハロゲン若しくはスルホで置換されている）である。


【手続補正８】
【補正対象書類名】明細書
【補正対象項目名】００２２
【補正方法】変更
【補正の内容】
【００２２】
Ｂ1は、特に好適にはＣ2−Ｃ6アルキレン基、メチレン−シクロヘキシレン基（これは、非置換であるか、又はＣ1−Ｃ4アルキルで置換されている）、又はフェニレン若しくはメチレン−フェニレン−メチレン基（これは、非置換であるか、又はＣ1−Ｃ4アルキル、Ｃ1−Ｃ4アルコキシ、ハロゲン若しくはスルホで置換されている）である。